(57)【要約】【課題】整流板を固定できる整流板用リテーナリングを提供する。【解決手段】タービンメータ１内に設けられる整流板３、４の回転を防止するリテーナリング１０であって、整流板３、４の端部３ｂ、４ｂに隣接してタービンメータ１に取り付けられ、一部を欠いたリング形状のリング本体１１と、リング本体１１の両端部にそれぞれ設けられ、整流板３、４と接触して固定する２つの回り止め部１２ａ、１２ｂと、を備えた。【選択図】図１
2010181281.tif 000002
【特許請求の範囲】
【請求項１】
タービンメータ内に設けられる整流板の回転を防止する整流板用リテーナリングであって、
前記整流板の端部に隣接して前記タービンメータに取り付けられ、一部を欠いたリング形状のリング本体と、
前記リング本体の両端部にそれぞれ設けられ、前記整流板と接触して固定する回り止め部と、
を備えたことを特徴とする整流板用リテーナリング。
【請求項２】
前記回り止め部は、前記リング本体から延びる両端部をそれぞれ丸めたリング形状として、前記リング本体と一体的に形成され、前記リング形状により形成される面が前記整流板と接触することを特徴とする請求項１に記載の整流板用リテーナリング。
【発明の詳細な説明】
【技術分野】
【０００１】
本発明は、タービンメータ内に設置される整流板の移動を防止するリテーナリングに関する。
【背景技術】
【０００２】
ビールや発泡酒等の飲料を容器に充填する充填装置（例えば、特許文献１、２参照。）には、充填量を測定するためタービンメータが設けられている（例えば、特許文献３参照。）。タービンメータに関する先行技術文献として例えば特許文献４が存在する。タービンメータ内には、流量を測定するロータに対して上流側及び下流側のそれぞれに整流板が設置され、その整流板がタービンメータ内で回転しないようにリテーナリングが取り付けられている。
【先行技術文献】
【特許文献】
【０００３】
【特許文献１】特開２００１−３１１９７号公報
【特許文献２】特開平８−２９５３９６号公報
【特許文献３】特開２００４−１８０４４号公報
【特許文献４】実開昭６２−４６３２５号公報
【発明の概要】
【発明が解決しようとする課題】
【０００４】
従来のリテーナリングは、整流板に設けられている複数の仕切り板のうちのいずれか一箇所と接触することにより回転を防止している。このため隣り合う仕切り板との間で整流板が移動してしまい、その移動による衝撃でリテーナリングが破損するおそれがある。
【０００５】
そこで、本発明は整流板を固定できる整流板用リテーナリングを提供することを目的とする。
【課題を解決するための手段】
【０００６】
本発明の整流板用リテーナリングは、タービンメータ（１）内に設けられる整流板（３、４）の回転を防止する整流板用リテーナリング（１０）であって、前記整流板の端部（３ｂ、４ｂ）に隣接して前記タービンメータに取り付けられ、一部を欠いたリング形状のリング本体（１１）と、前記リング本体の両端部にそれぞれ設けられ、前記整流板と接触して固定する回り止め部（１２ａ、１２ｂ）と、を備えたことにより上記課題を解決する。
【０００７】
本発明の整流板用リテーナリングによれば、リング本体の両端部に回り止め部がそれぞれ設けられているので、タービンメータ内に設けられた整流板に対して回り止め部が２点で接触する。これにより、整流板には回転する余地がなくなる。従って、整流板はタービンメータに固定され、回転が防止される。よって、リテーナリングの回り止め部に整流板が衝突することがなく、リテーナリングの破損を防止することができる。
【０００８】
本発明のリテーナリングの一形態において、前記回り止め部は、前記リング本体から延びる両端部をそれぞれ丸めたリング形状として、前記リング本体と一体的に形成され、前記リング形状により形成される面が前記整流板と接触してもよい。この形態によれば、回り止め部をリング形状とすることで整流板と広範囲に接触し整流板を安定して固定することができる。リング本体と回り止め部が一体に形成されているので、簡易な構成で実現することができる。
【０００９】
なお、以上の説明では本発明の理解を容易にするために添付図面の参照符号を括弧書きにて付記したが、それにより本発明が図示の形態に限定されるものではない。
【発明の効果】
【００１０】
以上、説明したように、本発明の整流板用リテーナリングにおいては、リング本体の両端部に回り止め部がそれぞれ設けられているので、タービンメータ内に設けられた整流板に対して回り止め部が２点で接触する。これにより、整流板には回転する余地がなくなる。従って、整流板はタービンメータに固定され、回転が防止される。よって、リテーナリングの回り止め部に整流板が衝突することがなく、リテーナリングの破損を防止することができる。
【図面の簡単な説明】
【００１１】
【図１】本発明の一形態に係る整流板用リテーナリングが適用されたタービンメータを示す断面概略図。
【図２】リテーナリングの拡大斜視図。
【発明を実施するための形態】
【００１２】
図１は、本発明の一形態に係る整流板用リテーナリングが適用されたタービンメータを示す断面概略図である。タービンメータ１は、充填装置内を流れるビールや発泡酒等の飲料の流路に設置され、タービンメータ１内を流れる飲料の流量を測定する。これにより、充填装置にて容器に充填する飲料の充填量を制御している。タービンメータ１は、飲料の流量に応じて回転するロータ２と、ロータ２に対してタービンメータ１内を流れる飲料の流れ方向ｄの上流側及び下流側にそれぞれ位置する整流板３、４と、ロータ２及び整流板３、４を保持するタービンメータ本体５とを備えている。ロータ２及び整流板３、４は、軸線ＡＸを中心として同軸に設けられている。ロータ２は、整流板３、４によって支持される軸に対して回転自在に設けられ、軸線ＡＸを中心として複数の羽根２ａが設けられている。ロータ２の回転数に基づいて流量を測定する。
【００１３】
整流板３、４にはそれぞれ、軸線ＡＸに垂直な方向の切断面が十字となるように軸線ＡＸを中心に４枚の仕切り板３ａ、４ａが設けられている。仕切り板３ａ、４ａはタービンメータ１内の飲料の流れを所望の方向へ向ける。整流板３、４により飲料は軸線ＡＸと平行な向きに流れる。タービンメータ本体５の内部には、ロータ２及び整流板３、４が組み込まれる。なお、タービンメータ１は、各種の周知技術を利用してよい。
【００１４】
整流板３、４のロータ２に隣接する側と逆側の端部３ｂ、４ｂにそれぞれ隣接して、リテーナリング１０が取り付けられる。図２にリテーナリング１０の拡大斜視図を示す。リテーナリング１０はタービンメータ本体５に設けられた溝部５ａ、５ｂに嵌め込まれて、整流板３、４をそれぞれ固定する。リテーナリング１０は、一部を欠いたリング形状のリング本体１１と、リング本体１１の両端部にそれぞれ設けられ、整流板３、４の仕切り板３ａ、４ａを固定する回り止め部１２ａ、１２ｂ（特に区別しない場合は参照符号１２で代表することがある。）とを備えている。
【００１５】
リング本体１１は、タービンメータ本体５の溝部５ａ、５ｂに嵌め込まれる。回り止め部１２は、リング本体１１の両端部をそれぞれ丸めてリング形状に形成されたもので、このリング形状の部分が仕切り板３ａ、４ａの向かい合う面でそれぞれ接触する。リテーナリング１０は、金属製で、リング本体１１及び回り止め部１２は一体に形成されている。本形態では、仕切り板３ａ、４ａは十字形状に、つまり、９０度ずつの間隔で設けられているので、回り止め部１２ａ、１２ｂのリング形状部分が形成する角度も９０度となるように設けられている。回り止め部１２がリング形状に形成されているので仕切り板３ａ、４ａと広範囲で接触し、仕切り板３ａ、４ａを安定して固定することができる。また、リテーナリング１０の断面は四角形状で溝部５ａ、５ｂに隙間なく嵌め込まれる。なお、リテーナリング１０の断面形状はこれに限られない。例えば円形状でもよく、適宜変更してもよい。
【００１６】
リテーナリング１０の作用を説明する。ロータ２及び整流板３、４を組み合わせてタービンメータ本体５内部に組み込み、溝部５ａ、５ｂにリング本体１１をそれぞれ取り付ける。リング本体１１により、整流板３、４の軸線ＡＸ方向の移動が防止される。リテーナリング１０の回り止め部１２が整流板３、４の仕切り板３ａ、４ａに接触するように取り付けられると（図１参照）、整流板３、４はタービンメータ本体５に対して固定され、回転が防止される。整流板３、４は、回り止め部１２ａ、１２ｂにより２点で固定されるので回転する余地がなくタービンメータ本体５に固定される。なお、従来のリテーナリングでは、回り止め部が一箇所に形成されているため、仕切り板３ａ、４ａの隣り合う面の間、つまり、本形態のような整流板３、４では９０度の角度の分だけ周方向に移動する。この移動により、整流板３、４が回り止め部と衝突してリテーナリングが破損するおそれがある。これに対し本形態のリテーナリング１０では、タービンメータ本体５内部で整流板３、４が回転しないのでリテーナリング１０の回り止め部１２に仕切り板３ａ、４ａが衝突することがなく、リテーナリング１０の破損を防止することができる。
【００１７】
本発明は、上述した形態に限定されることなく、種々の形態にて実施することができる。例えば、本形態では、リテーナリング１０の回り止め部１２をリング形状に形成したがこれに限定されない。例えば、リング本体１１から延びる両端部を折り曲げただけのストレート形状の回り止め部としてもよい。あるいは、回り止め部１２を板状に形成し、仕切り板３ａ、４ａと面接触させてもよい。回り止め部１２は、整流板３、４の形状に応じて適宜間隔や形状を調整してもよい。例えば、仕切り板３ａ、４ａが設けられる間隔に合わせて回り止め部１２が形成する角度を適宜調整してよいし、仕切り板が曲面であればその形状に沿って回り止め部を形成してもよい。
【符号の説明】
【００１８】
１  タービンメータ
３、４  整流板
１０  リテーナリング
１１  リング本体
１２ａ、１２ｂ  回り止め部
【図１】
2010181281.tif 000003
【図２】
2010181281.tif 000004